(57)【要約】【課題】装飾性に優れ、伸縮性の異なる部分を設けた経編レース地において、伸縮性の差が従来になく大きいものを提供する。【解決手段】１枚の地筬により導糸され鎖編組織を形成する非弾性糸と、他の１枚以上の地筬により導糸される弾性糸とにより地編が編成され、柄筬および／またはジャカード筬により導糸される柄糸により任意の柄が表現される経編レース地Ａであって、弾性糸として９００ｄｔｅｘ以上の繊度の弾性糸を使用する強伸縮性部１と、弾性糸として３５０ｄｔｅｘ以下の繊度の弾性糸を使用する弱伸縮性部２を有する。【選択図】図１
0003142955.tif 000002
【実用新案登録請求の範囲】
【請求項１】
ラッセル機により編成され、１枚の地筬により導糸され鎖編組織を形成する非弾性糸と、他の１枚以上の地筬により導糸される弾性糸とにより地編が編成されるとともに、柄筬および／またはジャカード筬により導糸される柄糸により任意の柄が表現されてなる経編レース地において、前記弾性糸として９００ｄｔｅｘ以上の繊度の弾性糸を使用する強伸縮性部と、前記弾性糸として３５０ｄｔｅｘ以下の繊度の弾性糸を使用する弱伸縮性部を有することを特徴とする経編レース地。
【請求項２】
前記強伸縮性部および前記弱伸縮性部のどちらにも該当しない中伸縮性部を設けてなる請求項１に記載の経編レース地。
【考案の詳細な説明】
【技術分野】
【０００１】
本考案は、主に女性用下着等の各種衣料に使用され、伸縮性を有する経編レース地に関するものである。
【背景技術】
【０００２】
従来より、弾性糸の繊度を一部変えて、伸縮性の異なる部分を設けた伸縮性経編地があり、例えば、特許文献１に記載されている。
【特許文献１】実開平７−２８９２１号公報
【考案の開示】
【考案が解決しようとする課題】
【０００３】
特許文献１に記載されている衣料に使用される経編地は、経編レース地ではあるが、伸縮性の異なる部分の伸縮性の差が十分満足できるものではない。
【０００４】
本考案は、上記に鑑みてなしたものであり、装飾性に優れ、伸縮性の異なる部分を設けた経編レース地において、伸縮性の差が従来になく大きいものを提供するものである。
【課題を解決するための手段】
【０００５】
上記の課題を解決する本考案は、ラッセル機により編成され、１枚の地筬により導糸され鎖編組織を形成する非弾性糸と、他の１枚以上の地筬により導糸される弾性糸とにより地編が編成されるとともに、柄筬および／またはジャカード筬により導糸される柄糸により任意の柄が表現されてなる経編地において、前記弾性糸として９００ｄｔｅｘ以上の繊度の弾性糸を使用する強伸縮性部と、前記弾性糸として３５０ｄｔｅｘ以下の繊度の弾性糸を使用する弱伸縮性部を有することを特徴とする。
【０００６】
また、前記強伸縮性部および前記弱伸縮性部のどちらにも該当しない中伸縮性部を前記経編レース地に設けることができる。
【考案の効果】
【０００７】
上記した本考案によれば、地編が鎖編組織であるので任意の大きさのネット目を形成でき、装飾性に優れた柄を表現しつつ、弾性糸の繊度差又は本数差を大きくでき、これまでにない伸縮性の差を設けた経編レース地を提供することができる。
【考案を実施するための最良の形態】
【０００８】
次に本考案の実施の形態を図面に示す実施例に基づいて説明するが、本考案は実施例のものには限定されることはなく、実用新案請求範囲を逸脱しない範囲において種々の実施が可能である。
【０００９】
図１は本考案の経編レース地の実施例を示す略示平面図、図２は本考案の経編レース地をショーツに使用した例を示す略示斜視図、図３は本考案の経編レース地をブラジャーに使用した例を示す略示斜視図、図４は本考案の経編レース地をチューブトップに使用した例を示す略示斜視図である。
【００１０】
図１に示す本考案の経編レース地Ａは、左半分が強伸縮性部１、右半分が弱伸縮性部２であり、例えば、鎖編組織を形成する非弾性糸として４４ｄｔｅｘのナイロン糸を用い、ジャカード糸として４４ｄｔｅｘのナイロン糸を用い、柄糸として３１２ｄｔｅｘと１５５ｄｔｅｘのナイロン糸を用い、強伸縮性部１の弾性糸として９４０ｄｔｅｘのポリウレタン糸を、弱伸縮性部２の弾性糸として１５６ｄｔｅｘのポリウレタン糸を用いて、多枚筬ラッセル機にて編成できる。
【００１１】
本考案での鎖編組織とは、常に同一ウエール上を編成する組織だけでなく、隣のウエールに移行する所謂ラン止め組織も含む。また、強伸縮性部１の弾性糸と弱伸縮性部２の弾性糸は別の繊度の糸を用いたが、例えば、強伸縮性部１に弱伸縮性部２と同じ弾性糸１５６ｄｔｅｘを６本まとめて同じガイドに入れて編成する場合であっても、実質９４０ｄｔｅｘの弾性糸を用いることと同じである。また、弾性糸を横振りして、経方向（編成方向）のみならず緯方向（巾方向）にも伸縮性を有す経編レース地としても良い。
【００１２】
この実施例では、強伸縮性部１と弱伸縮性部２の計２種類のみの伸縮性部を設けたが、例えば、伸縮性を異ならせた２種類の強伸縮性部を設けつつ、伸縮性を異ならせた２種類の弱伸縮性部も設けて、計４種類の伸縮性の異なる部分を設けても良い。
【００１３】
更に、強伸縮性部と弱伸縮性部どちらにも属さない中伸縮性部を追加して設けても良い。例えば、第１の中伸縮性部として８００ｄｔｅｘの弾性糸を用い、第２の中伸縮性部として４００ｄｔｅｘの弾性糸を用い、強伸縮性部と弱伸縮性部と合わせて４種類の伸縮性の異なる部分を設けても良い。求められる用途に応じて、伸縮性の異なる部分を複数種設けることができる。
【００１４】
本考案の経編レース地Ａを裾部に使用したショーツを図２に示す。この経編レース地Ａは、下半分が強伸縮性部１で上半分が弱伸縮性部２である。これにより伸縮テープを別途縫着せずとも臀部の補正ができるだけの強力な伸縮性部を得られ、意匠性に優れた経編レース地にてショーツ裾部を作ることが可能となる。
【００１５】
本考案の経編レース地Ａをバック部に使用したブラジャーを図３に示す。この経編レース地Ａは、中央部分が強伸縮性部１でそれ以外の部分は弱伸縮性部２である。これにより、伸縮テープを別途縫着せずともブラジャーがずれないだけの強力な伸縮性部を得られ、アウターに響きにくいブラジャーバック部を意匠性に優れた経編レース地にて作ることが可能となる。
【００１６】
本考案の経編レース地Ａを全体に使用したチューブトップを図４に示す。この経編レース地Ａは、最も上の部分が第１の強伸縮性部１ａで、その下の広い部分が弱伸縮性部２で、その下の部分が中伸縮性部３で、その下の裾の部分が第２の強伸縮性部１ｂであり、第１の強伸縮性部１ａの方が第２の強伸縮性部１ｂより伸縮性が大きい。これらにより、伸縮テープを別途縫着せずともズレを防止できるだけの強力な伸縮性を得られ、外観が良好なチューブトップを１枚の連続した経編レース地にて作ることが可能となる。
【産業上の利用可能性】
【００１７】
本考案は、ブラジャー、ショーツ等の女性用下着を始めとする各種衣料に好適に利用できる。
【図面の簡単な説明】
【００１８】
【図１】本考案の経編レース地の実施例を示す略示平面図である。
【図２】本考案の経編レース地をショーツに使用した例を示す略示斜視図である。
【図３】本考案の経編レース地をブラジャーに使用した例を示す略示斜視図である。
【図４】本考案の経編レース地をチューブトップに使用した例を示す略示斜視図である。
【符号の説明】
【００１９】
Ａ…経編レース地、１…強伸縮性部、２…弱伸縮性部、３…中伸縮性部。
【図１】
0003142955.tif 000003
【図２】
0003142955.tif 000004
【図３】
0003142955.tif 000005
【図４】
0003142955.tif 000006